(57)【要約】【課題】  特に画像データの伝送ラインの断線、コネクタ外れ等による画像データライン未入力による画質でディフェクトを防止する。【解決手段】  ビデオコントロールユニット６４からデータ制御装置５８へ画像データを伝送する伝送ライン６２と、シーケンスコントロールユニット６４から光出力装置４６へ制御信号を伝送する伝送ライン６０と、が別々に設けられているため、画像データを伝送する伝送ライン６２の断線状態を監視するようにした。すなわち、プルアップ抵抗８６によって所定の電圧Ｖを印加し、画像信号（Ｈ信号、Ｌ信号）の出力時にこの画像信号以外の電圧Ｖ（Ｈ＞Ｖ＞Ｌ）を検出した場合に、断線、或いはコネクタ８２、８４の脱落を検出する。これにより、白紙プリントがあり、かつこれを異常と判別できないような不具合を解消することができる。【選択図】    図４
2007060569.tif 000002
【特許請求の範囲】
【請求項１】
画像信号を生成するビデオコントロールユニットからの画像データと、点灯タイミングを制御するシーケンスコントロールユニットからのシーケンスデータと、が異なる経路により光源駆動ユニットに伝送される光出力装置を備えた画像形成装置であって、
前記光出力装置を制御して、前記画像データに基づいて画像形成エリア内で画像書き込み動作を行う画像書込点灯モードを実行する制御手段と、
前記制御手段による前記画像書込点灯モードの実行中に、画像データ入力の異常を検知する書込異常検知手段と、
を有する画像形成装置。
【請求項２】
画像信号を生成するビデオコントロールユニットからの画像データと、点灯タイミングを制御するシーケンスコントロールユニットからのシーケンスデータと、が異なる経路によりレーザ駆動ユニットに伝送される光出力装置を備えた画像形成装置であって、
前記光出力装置を制御して、前記画像データに基づいて画像形成エリア内で画像書き込み動作を行う画像書込点灯モード、並びに画像形成エリア外で光量調整動作を行う光量調整点灯モードを選択的に実行する制御手段と、
前記制御手段による前記画像書込点灯モードの実行中に、画像データ入力の異常を検知する書込異常検知手段と、
前記制御手段による光量調整点灯モードの実行中に、光量異常、同期間隔異常を検知する光源異常検知手段と、
前記書込異常検知手段或いは光源異常検知手段により異常を検知した場合、当該異常の発生源を判別する異常発生源判別手段と、
を有する画像形成装置。
【請求項３】
前記書込異常検知手段が、前記画像書込点灯モードでの画像データ入力の異常を、入力電圧により検知することを特徴とする請求項１又は請求項２記載の画像形成装置。
【請求項４】
前記書込異常検知手段が、前記画像書込点灯モードでの画像データ入力の異常を、画像データ入力ラインの断線検知信号により検知することを特徴とする請求項１又は請求項２記載の画像形成装置。
【請求項５】
前記書込異常検知手段が、前記画像書込点灯モードでの画像データ入力の異常を、所定期間の画像データ未入力により検知することを特徴とする請求項１又は請求項２記載の画像形成装置。
【請求項６】
前記書込異常検知手段が異常を検知した場合、当該異常検知の情報を報知する報知手段をさらに有することを特徴とする請求項１乃至請求項５の何れか１項記載の画像形成装置。
【請求項７】
前記報知手段により報知される前記異常検知の情報に基づき、前記制御手段による前記画像書込点灯モードの実行を中止する中止手段をさらに有することを特徴とする請求項６記載の画像形成装置。
【請求項８】
前記報知手段により報知される前記異常検知の情報に基づき、画像書込が終了したと認識される画像データを破棄せず、保存する保存手段をさらに有することを特徴とする請求項６又は請求項７記載の画像形成装置。
【請求項９】
前記画像データが、低電圧差動信号で伝送されることを特徴とする請求項１乃至請求項８の何れか１項記載の画像形成装置。
【請求項１０】
前記光源が、複数の光ビーム発光点を有し、前記書込異常検知手段が、それぞれの発光点毎に画像データ入力異常を検知し、前記光源異常検知手段が、それぞれの発光点毎に光量異常および同期間隔異常を検知することを特徴とする請求項１乃至請求項９の何れか１項記載の画像形成装置。
【請求項１１】
前記光源が、複数の光ビーム発光点を有し、前記書込異常検知手段が、それぞれの発光点毎に画像データ入力異常を検知し、異常と検知された発光点が所定数以下の場合に、画像書込点灯モードによる画像書込動作を継続することを特徴とする請求項１乃至請求項９の何れか１項記載の画像形成装置。
【発明の詳細な説明】
【技術分野】
【０００１】
本発明は、画像信号を生成するビデオコントロールユニットからの画像データと、点灯タイミングを制御するシーケンスコントロールユニットからのシーケンスデータと、が異なる経路により光源駆動ユニットに伝送される光出力装置を備えた画像形成装置に関するものである。
【背景技術】
【０００２】
従来、画像形成装置に搭載される光源駆動ユニットでは、光ビームを画像データに応じて点灯／消灯の制御を行ない、ポリゴンミラー等の走査手段を介して、像担持体としての感光体ドラムへ照射する。
【０００３】
ここで、ポリゴンミラーにより感光体ドラムの軸線方向に光ビームを走査しながら（主走査）、感光体ドラムを回転（副走査）させることで静電潜像が形成される。
【０００４】
感光体ドラムに形成された静電潜像には、トナーが供給されることで顕像化され、その顕像化された像（トナー像）は、転写部において記録用紙に転写され、かつ記録用紙上の転写像が定着されることで、画像が形成される。
【０００５】
このような電子写真方式の画像形成装置は、高画質の画像を高速で処理することができるため、複写機やレーザープリンタ等に適用されている。
【０００６】
上記画像形成装置では、通常の画像データの書き込みとは別の作業として、サイド消し込みモードや後端消し込みモード、光量調整モード等の様々な処理が実行される。
【０００７】
サイド消し込みモードや後端消し込みモードは、画像の一部を強制的に消し込むモードであり、記録用紙の大きさにより画像書き込みエリアが大きいと、トナーが記録用紙に転写されず感光体ドラム上に残存して、機内の汚れの原因となるからである。
【０００８】
このため、記録用紙のサイドエッジ部分で強制的にＬＤを消灯させる（サイド消し込みモード）や、記録用紙の後端部分で強制的にＬＤを消灯させる（後端消し込みモード）ようにしている。
【０００９】
また、画像形成装置では、ホストコンピュータから受け取った指示に従い、ビデオコントロールユニットでは、画像データを生成する。また、プリンタや複写機の動作を制御するシーケンスコントロールユニットでは、画像形成エリア外で点灯タイミングや光量調整制御を実施している。
【００１０】
このビデオコントロールユニットからの画像データと、点灯タイミングを制御するシーケンスコントロールユニットからのシーケンスデータとは、異なる伝送ラインにより光量制御回路（レーザ駆動ユニット）に伝送される構成となっている（特許文献１参照）。
【００１１】
このため、構成部品や接続箇所が増加し、これに伴い発生する伝送デバイスの故障、伝送ラインの断線、コネクタ外れ等による画像データライン未入力による画質ディフェクトの発生が増加する傾向にある。
【特許文献１】特開平６−１６６２０７号公報
【発明の開示】
【発明が解決しようとする課題】
【００１２】
しかしながら、特許文献１に記載の画像形成装置では、画像データ入力に異常が発生した場合でも、シーケンスコントロールユニットからの伝送ラインとは別体とされた画像データの伝送ライン上では異常の検出手段はなく、白紙プリント等の異常プリントを見てはじめて異常が発生していることを認識するしかなかった。
【００１３】
また、上記白紙プリント等の異常プリンタ出力されてもシステム上は、正常終了とみなされ、一時保管された画像データが破棄されてしまい、再プリントができないという不具合が生じていた。
【００１４】
本発明は上記事実を考慮し、特に画像データの伝送ラインの断線、コネクタ外れ等による画像データライン未入力による画質でディフェクトを防止することができる画像形成装置を得ることが目的である。
【課題を解決するための手段】
【００１５】
第１の発明は、画像信号を生成するビデオコントロールユニットからの画像データと、点灯タイミングを制御するシーケンスコントロールユニットからのシーケンスデータと、が異なる経路によりレーザ駆動ユニットに伝送される光出力装置を備えた画像形成装置であって、前記光出力装置を制御して、前記画像データに基づいて画像形成エリア内で画像書き込み動作を行う画像書込点灯モード、並びに画像形成エリア外で光量調整動作を行う光量調整点灯モードを選択的に実行する制御手段と、前記制御手段による前記画像書込点灯モードの実行中に、画像データ入力の異常を検知する書込異常検知手段と、前記制御手段による光量調整点灯モードの実行中に、光量異常、同期間隔異常を検知する光源異常検知手段と、前記書込異常検知手段或いは光源異常検知手段により異常を検知した場合、当該異常の発生源を判別する異常発生源判別手段と、を有している。
【００１６】
第１の発明によれば、画像書込点灯モードにおいてビデオコントロールユニットから画像データを受ける際、この画像データは、シーケンスコントロールユニットとは伝送経路で伝送されるため、例えば、伝送経路の断線やコネクタの脱落等で画像データが確実に光源駆動ユニットに到達しなかった場合、シーケンスコントロールユニットでは、この画像データ未入力異常を検知することができない。
【００１７】
そこで、書込異常検知手段を新たに設けることで、制御手段による前記画像書込モードの実行中に、画像データ入力の異常を検知することができる。
【００１８】
また、第２の発明は、画像信号を生成するビデオコントロールユニットからの画像データと、点灯タイミングを制御するシーケンスコントロールユニットからのシーケンスデータと、が異なる経路によりレーザ駆動ユニットに伝送される光出力装置を備えた画像形成装置であって、前記光出力装置を制御して、前記画像データに基づいて画像形成エリア内で画像書き込み動作を行う画像書込点灯モード、並びに画像形成エリア外で光量調整動作を行う光量調整点灯モードを選択的に実行する制御手段と、前記制御手段による前記画像書込点灯モードの実行中に、画像データ入力の異常を検知する書込異常検知手段と、前記制御手段による光量調整点灯モードの実行中に、光量異常、同期間隔異常を検知する光源異常検知手段と、前記書込異常検知手段或いは光源異常検知手段により異常を検知した場合、当該異常の発生源を判別する異常発生源判別手段と、を有している。
【００１９】
第２の発明によれば、画像書込点灯モードにおいてビデオコントロールユニットから画像データを受ける際、この画像データは、シーケンスコントロールユニットとは異なる伝送経路で伝送されるため、例えば、伝送経路の断線やコネクタの脱落等で画像データが確実に光源駆動ユニットに到達しなかった場合、シーケンスコントロールユニットでは、この画像データ未入力異常を検知することができない。
【００２０】
そこで、書込異常検知手段を新たに設けることで、制御手段による前記画像書込モードの実行中に、画像データ入力の異常を検知することができる。
【００２１】
さらに、制御手段による光量調整点灯モードの実行中に、光量異常、同期間隔異常を検知する機能が既設されているため、第２の発明の異常発生源判別手段では、書込異常検知手段或いは光源異常検知手段により異常を検知した場合、当該異常の発生源を判別する。
【００２２】
これにより、異常の発生源を特定することができる。
【００２３】
なお、画像書込点灯モードと光量調整点灯モードの選択的な実行とは、双方の点灯モードを１走査内で連続して実行させる場合も含むものである。
【００２４】
前記第１の発明又は第２の発明において、前記書込異常検知手段が、前記画像書込点灯モードでの画像データ入力の異常を、入力電圧により検知することを特徴としている。
【００２５】
前記書込異常検知手段が、前記画像書込点灯モードでの画像データ入力の異常を、画像データ入力ラインの断線検知信号により検知することを特徴としている。
【００２６】
前記書込異常検知手段が、前記画像書込点灯モードでの画像データ入力の異常を、所定期間の画像データ未入力により検知することを特徴としている。
【００２７】
異常検知の手段としては、ビデオコントロールユニットからレーザ駆動ユニットへの入力電圧で画像データが正常に入力されていないことを検知することができる。或いは画像データ入力ラインに断線検知機能を設けることで、断線があった場合に画像データの正常に入力されないことを検知することができる。さらに、画像データが所定期間未入力の場合は、画像データの伝送ラインに異常があると予測することができる。
【００２８】
また、第１の発明又は第２の発明において、前記書込異常検知手段が異常を検知した場合、当該異常検知の情報を報知する報知手段をさらに有することを特徴としている。
【００２９】
報知手段による異常検知の情報の報知を受けることで、例えば前記制御手段による前記画像書込点灯モードの実行を中止したり（中止手段）、画像書込が終了したと認識される画像データを破棄せず、保存する（保持手段）ことが可能となる。
【００３０】
さらに、第１の発明又は第２の発明おいて、前記画像データが、低電圧差動信号で伝送されることを特徴としている。
【００３１】
低電圧差動信号により、「０」又は「１」を表現する場合において、例えば、しきい値（基準電圧）をＶｒとした場合に、基準電圧を超えていないと「０」又は「１」の判別がつかない。そこで、入力電圧をＶｒ以下（絶対値）となった場合に、異常と判定することで、断線等の画像データ未入力に加え、低電圧差動信号発生源の異常（電圧低下等）も検知することができる。
【００３２】
また、第１の発明又は第２の発明のいて、前記光源が、複数の光ビーム発光点を有する場合、前記書込異常検知手段が、それぞれの発光点毎に画像データ入力異常を検知し、前記光源異常検知手段が、それぞれの発光点毎に光量異常および同期間隔異常を検知したり、それぞれの発光点毎に画像データ入力異常を検知し、異常と検知された発光点が所定数以下の場合に、画像書込点灯モードによる画像書込動作を継続したりすることができる。
【発明の効果】
【００３３】
以上説明した如く本発明では、特に画像データの伝送ラインの断線、コネクタ外れ等による画像データライン未入力による画質でディフェクトを防止することができるとい優れた効果を有する。
【発明を実施するための最良の形態】
【００３４】
（画像形成装置の全体構成）
まず、本発明の光走査装置が用いられる画像形成装置の全体構成について、図１に基づき概説する。
【００３５】
図１に示すように、画像形成装置１０はケーシング１２を備え、このケーシング１２内には、矢印Ａ方向に回転する円筒状の感光体ドラム１４と、所望の画像データに基づいて光ビームＢを感光体ドラム１４へ主走査しながら照射する光走査装置１６とが設けられている。この光走査装置１６の筐体１８の内部には、レーザー光源（ＬＤ）２０、回転多面鏡２２及びミラー（反射鏡）２３が配設されている。
【００３６】
一方、感光体ドラム１４の周面近傍には、感光体ドラム１４の回転方向上流側から順に、帯電器２４、現像器２６、転写器２８、クリーナー３０が配置されている。感光体ドラム１４は、帯電器２４によって一様に帯電された後、光走査装置１６から光ビームＢが照射される。これにより、感光体ドラム１４の周面上に画像データに応じた静電潜像が形成される。
【００３７】
静電潜像が形成された感光体ドラム１４は、現像器２６からトナーが供給され、光走査装置１６によって光ビームＢが照射された部分にトナーを付着するようになっている。これにより、感光体ドラム１４の周面上にトナー像が形成される。
【００３８】
感光体ドラム１４上に形成されたトナー像は、転写器２８によって、用紙トレイ３２又は手差しトレイ３４から、搬送される用紙３６へ転写される。転写後、感光体ドラム１４の周面に残留しているトナーは、クリーナー３０によって除去される。
【００３９】
トナー像が転写された用紙３６は、用紙３６の搬送方向下流側に設けられた定着器３８に搬送され（矢印Ｃ方向参照）、定着器３８の加圧ローラ４０と加熱ローラ４２によって、転写されたトナー像が用紙３６へ熱圧着される。画像定着がなされた用紙３６は排出トレイ４４に排出される。
【００４０】
（光走査装置１６）
図２に示される如く、光走査装置１６は、制御系を含む光出力装置４６の構造を示したものであり、レーザー光源２０から発光された光ビームＢの照射方向上流側から順に、コリメータレンズ４８、シリンドリカルレンズ５０、回転多面鏡２２、Ｆθレンズ５２Ａ、Ｆθレンズ５２Ｂ、ミラー２３が設けられている。
【００４１】
また、レーザー光源２０は、レーザー駆動ユニット５４の光量制御装置５６に接続されており、この光量制御装置５６により点灯／消灯が制御されるようになっている。
【００４２】
前記レーザー駆動ユニット５４には、前記光量制御装置５６の他、データ制御装置５８が設けられ、このデータ制御装置５８に、別々の伝送ライン６０、６２でシーケンスコントロールユニット６４と、ビデオコントロールユニット６６とが接続されている（なお、上記レーザー駆動ユニット５４を含むレーザー光源２０の制御系については、後述する。
【００４３】
前記レーザー光源２０から発光された光ビームＢは、コリメータレンズ４８によって略平行光とされ、さらに、シリンドリカルレンズ５０を透過することで、副走査方向に絞られた光ビームＢとなって、回転多面鏡２２上へ照射される。
【００４４】
回転多面鏡２２が、図示しないモータによって矢印Ｄ方向に高速で回転することにより、回転多面鏡２２上へ照射された光ビームＢは、周面に設けられた複数（本実施の形態では、８面）の反射面２２Ａで反射されて、感光体ドラム１４へ偏向走査（主走査）される。回転多面鏡２２の反射面２２Ａで偏向された光ビームＢは、２枚組のＦθレンズ５２Ａ、５２Ｂを透過し、ミラー２３の反射面で反射して折り返し、図示しない防塵対策のガラスを透過して感光体ドラム１４上に結像される。また、ミラー２３により反射し、感光体ドラム１４へと至る光路上（主走査方向始点側）には、ＳＯＳセンサ６８が設けられている。このＳＯＳセンサ６８には、回転多面鏡２２によって反射され、主走査される光ビームが入射され、その検出結果が主走査タイミングのパラメータとして適用される。
【００４５】
（光出力装置４６の制御系）
図３に示される如く、光出力装置４６には、ホストコンピュータ７０からの信号に基づいて、画像データを生成するビデオコントロールユニット６６と、レーザー駆動ユニット５４や光走査装置１６の動作を制御するシーケンスコントロールユニット６４と、接続されている。
【００４６】
レーザー光源２０を駆動制御するレーザー駆動ユニット５４は、前述したデータ制御装置５８が、主として、レーザー光源２０に入力される画像データを切り替えたり、画像データを切断する役目を有している。また、光量制御装置５６は、レーザー光源２０の光量を所定の出力に制御する役目を有している。
【００４７】
光量制御装置５６では画像書き込み前にレーザー光源２０の光量が所定の出力とならないように光量調整した後、画像形成エリア外にて１走査毎に光量調整制御を行う光量調整点灯モードを実施する。
【００４８】
光量調整点灯モードでは、画像データの有無に関わらず、レーザー光源を点灯させることが可能であり、この光量調整点灯モードで点灯しているときの駆動電流を測定することで、レーザー光源２０の劣化による故障を検出することが可能となっている。
【００４９】
一方、レーザー駆動ユニット５４のデータ制御装置５８には、ビデオコントロールユニット６６が接続されている。ビデオコントロールユニット６６からデータ制御装置５８に入力した画像データは、データ検出部７２及び光量制御装置５６へ送出される。
【００５０】
データ検出部７２では、画像データの存在を検出し、その検出結果を異常判定部７６へ送出することで、異常判定部７６では、故障の有無を判定する。この異常判定部７６には異常表示部７８が接続され、異常発生時には、この異常表示部７８に異常信号が送出されることで、異常を報知（表示）するようになっている。
【００５１】
また、光量制御装置５６では、画像データを受け入れると、この画像データに基づいて、画像形成エリア内に画像形成する画像書込点灯モードでレーザー光源２０を駆動するようになっている。
【００５２】
すなわち、本実施の形態では、シーケンスコントロールユニット６４を介さずに、別の伝送ライン６２によって、データ制御装置５８へ直接画像データが入力される構成となっており、伝送ライン６２の物理的な長さの短縮化が図られ、当該伝送ライン６２からの不要輻射波等の発生を抑制することが可能となっている。
【００５３】
一方、このシーケンスコントロールユニット６４では、データ制御装置５８にレーザー光源２０の画像データの切り替えを支持する画像データ切替信号を送出する共に、光走査装置１６に光学系の動作を制御するＲＯＳ制御信号を送出する。
【００５４】
また、シーケンスコントロールユニット６４は、データ制御装置５８に、画像書き出しタイミング信号や、自動光量制御タイミング信号等の出力制御信号を送出している。
【００５５】
データ制御装置５８は、強制的にレーザー光源２０を点灯させる機能や、強制的にレーザー光源２０を消灯させる機能を有している。すなわち、シーケンスコントロールユニット６４から受けたモード切替信号に応じて、画像データに基づいてレーザー光源２０を駆動する画像書込点灯モードと、或いは、画像データの有無に関わらず強制的にレーザー光源２０を点灯させる強制点灯モード、或いは、画像データの有無に関わらず強制的にレーザー光源２０を消灯させる強制消灯モードへの切り替えを実行する。
【００５６】
ここで、上記構成の光出力装置４６において、画像データ入力に異常が発生した場合でも、シーケンスコントロールユニット６４からの伝送ライン６０とは別体とされた画像データの伝送ライン６２上では異常の検出手段はなく、仮に、白紙プリントが出力されてもシステム上は、正常終了とみなされ、一時保管された画像データが破棄されてしまい、再プリントができないという不具合が生じていた。
【００５７】
そこで、本実施の形態では、ビデオデータコントロールユニット６６と、データ制御装置５８と接続する伝送ライン６２に画像データの伝送監視ユニット８０（図４参照）を設けた。
【００５８】
図４（Ａ）に示される如く、ビデオデータコントロールユニット６６と、データ制御装置５８とは、両端にコネクタ８２、８４が接続された伝送ライン（電線）６０によって電気的に接続されている。
【００５９】
ビデオデータコントロールユニット６６とコネクタ８２との間には、プルアップ抵抗８６が設けられ、所定の電圧が印加されている。
【００６０】
また、データ制御装置５８とコネクタ８４との間には、電圧検出部８８が設けられている。
【００６１】
ここで、ビデオデータは、Ｈ信号がレーザー光源２０を消灯、ＯＮ信号がレーザー光源２０を点灯させるＨ信号となっており、伝送ライン６２が正常（断線もなく、コネクタ８２、８４を確実に接続されている状態）である場合には、図４（Ｂ）の出力信号−電圧Ｖ（電圧検出部８８の検出電圧）の対象表に示されるように、ビデオ信号がＯＮ信号の場合は電圧ＶはＬ（ほぼ０Ｖ）、ビデオ信号がＯＦＦ信号の場合は電圧ＶはＨ（プルアップ抵抗８６によって印加される電圧値）となる。
【００６２】
一方、伝送ライン６２が異常（断線、又はコネクタ８２、８４の脱落等が発生している状態）である場合は、図４（Ｂ）に示される如く、電圧Ｖが、通常時のＬ又はＨの何れでもない、中間的な電圧となる。この中間的な電圧値は、データ制御装置５８の電気部品構成に依存する。
【００６３】
図３に示される如く、伝送監視ユニット８０が、前記異常判定手段７６（図３参照）に接続されており、この結果、異常判定手段７６では、画像データの伝送系に異常が発生したことを認識し、異常表示部７８を用いて当該画像データの伝送系異常を報知するようになっている。
【００６４】
ここで、異常判定は、図５に示される如く、画像書き込み点灯モード中の実画像記録領域外で、断線検知信号を出力し、断線の有無を判定するようになっている。これは画像記録時には、レーザー光源２０が点灯や消灯を繰り返しているため、このような時期以外、すなわち、レーザー光源２０が継続点灯する時期を別途設定し、指令通り（画像データどおり）にレーザー光源２０が点灯するか否かを判別するようにしている。
【００６５】
このような異常の有無の判別を、前記異常判定部７６（図３参照）によって実行している。すなわち、異常判定部７６では、画像書込み点灯モードにおいて、上記のように意図的に画像データが送信される時期を設け（図５参照）、この期間で入力画像データがあるか否かを判断する。
【００６６】
以下に本実施の形態の作用を説明する。
【００６７】
画像形成装置では、シーケンスコントロールユニット６６から画像の形成が指示されると、光走査装置１６の駆動制御を開始する。これにより、感光体ドラム１４が帯電器２４によって一様に帯電され、ビデオコントロールユニット６６によって生成された画像データが、データ制御装置５８を通り、光量制御装置５６で所定の光量に制御された後、レーザー光源２０を駆動して、用紙３６に形成するべき画像に対応して光ビームを照射する。これにより、感光体ドラム１４上に静電潜像が形成される。
【００６８】
感光体ドラム１４上に形成された静電潜像は、現像器２６によりトナーが供給されて現像される。現像されたトナー像は、転写器２８によって用紙３６に転写される。また、トナー像が転写された用紙３６は、排出トレイ４４への搬送中に定着器３８によって定着され、排出される。
【００６９】
上記画像形成処理では、光ビームが走査される範囲として、光量調整点灯モード領域と、画像書込み点灯モード領域とがあり（図５参照）、本実施の形態では、ビデオコントロールユニット６６からデータ制御装置５８に向けて、画像書込み点灯モード領域内の非画像形成時期に断線検知信号を出力する。この断線検知信号の出力時の伝送監視ユニット８０の検出状態で断線の有無を検出するようにしている。
【００７０】
図６は、上記断線検出制御の流れを示すフローチャートである。なお、このフローチャートでは、光量調整点灯モードでの光量調整（光量異常）も同時に実行する。
【００７１】
ステップ１００では、光量調整点灯モードで光量（検出光量に応じたモニター電圧値ＭＯ）を検出し、次いでステップ１０２へ移行して、しきい値Ｖthと検出した電圧値ＭＯとを比較する。
【００７２】
このステップ１０２でＶth＞ＭＯと判定されると、光量が適正ではないと判断され、ステップ１０４へ移行して光量調整が可能か否かが判断される。このステップ１０４で光量調整が可能である場合は、ステップ１０６へ移行して光量調整を実行し、再度ステップ１０２に戻りＶthと比較する。
【００７３】
また、ステップ１０４で光量調整が不可能である場合には、ステップ１０８へ移行してＮＧ表示を指示し、プリントを停止してこのルーチンは終了する。
【００７４】
なお、別の判定方法として同期間隔を測定し、異常を判定する方法がある。ＳＯＳ２０によって同期間隔の測定を行う。ここで、光量異常が発生し光量が低下した場合、ＳＯＳ２０で検知不能となり、光量異常と判定するようにしてもよい。
【００７５】
また、前記ステップ１０２において、Ｖth≦ＭＯと判定（肯定判定）されると、光量が適正であると判断され、ステップ１１０へ移行する。
【００７６】
ステップ１１０では、上記光量調整のためのシーケンスコントロールユニット６４の伝送ライン６０とは、別の伝送ライン６２を持つビデオコントロールユニット６６の伝送ライン６２の断線の状態を検知する動作を実行する。
【００７７】
すなわち、ステップ１１０では、画像書込み点灯モードであり、非画像形成領域（図５参照）において、断線検知信号を出力する。
【００７８】
この断線検知信号を伝送監視ユニット８０で検出し、異常判定部７６へ送出することで、図４（Ｂ）の表に基づく異常判定を実行する。
【００７９】
次のステップ１１２では、異常を検出したか否かが判断される。このステップ１１２で否定判定された場合には、異常なしであるため、ステップ１１４へ移行してプリントを実行する。
【００８０】
また、ステップ１１２で肯定判定された場合には、異常ありであるため、ステップ１１６へ移行してＮＧ表示を指示し、プリントを停止してこのルーチンは終了する。
【００８１】
以上説明したように本実施の形態では、ビデオコントロールユニット６６からデータ制御装置５８へ画像データを伝送する伝送ライン６２と、シーケンスコントロールユニット６４から光出力装置４６へ制御信号を伝送する伝送ライン６０と、が別々に設けられているため、画像データを伝送する伝送ライン６２の断線状態を監視するようにした。すなわち、プルアップ抵抗８６（図４参照）によって所定の電圧Ｖを印加し、画像信号（Ｈ信号、Ｌ信号）の出力時にこの画像信号以外の電圧Ｖ（Ｈ＞Ｖ＞Ｌ）を検出した場合に、断線、或いはコネクタ８２、８４の脱落等を検出する。これにより、白紙プリントがあり、かつこれを異常と判別できないような不具合を解消することができる。
【００８２】
（変形例）
上記実施の形態では、図４（Ｂ）の表に基づいて、異常判定部７６において、画像データ（Ｌ信号又はＨ信号）に基づいて、異常の有無を判定するようにしたが、画像データが低電圧差動信号伝送（ＬＶＤＳ）レベルのデータ伝送である場合の異常判定のための回路構成説明する。
【００８３】
図７（Ａ）は、低電圧差動信号伝送（ＬＶＤＳ)レベルのデータ伝送路の例である。
【００８４】
ＬＶＤＳ伝送方式では、２本の銅線９０、９２を使用して、互いに逆向きの信号（電圧、電流）を送る。
【００８５】
また、ＬＶＤＳ伝送方式では、レシーバー９４の２つの信号の電位差しか見ていないため、同相ノイズの影響がなくなりノイズの影響を受けにくい特性がある。
【００８６】
さらに、ＬＶＤＳ伝送方式では、電流源から所定の電流をドライバー側から流す。レシーバー９４には終端抵抗があり、両入力端子間に所定の電圧が印加される。例えば、電流源から３．５ｍＡの電流を１００Ωの終端抵抗に流すと３５０ｍＶの電圧が両入力端子に印加される。
【００８７】
ここで、データ伝送路が断線した場合、終端抵抗に電流が流れず、両入力端子に電圧が印加されない。このため、両入力端子の電位差を測定し、３５０ｍＶより低い所定のスレッショルドレベルを決めて、このレベル以下の場合に断線と判定することが可能となる。
【００８８】
図８は、上記ＬＶＤＳ伝送方式による断線判別をフリップフロップ回路を用いた回路構成である。この回路では、画像書込み点灯モードにおいて画像データ入力異常を所定期間入力画像データがないことで検知するようになっている。
【００８９】
ビデオコントロールユニット６４からの画像データは、ＬＶＤＳレベルであり、ＤＡＴＡ-Ａ+、ＤＡＴＡ-Ａ−で示される信号が生成される（図７（Ｂ）参照）。
【００９０】
近年の画像形成装置では、複数の光源を持つことが一般化しており、この図８では、ＤＡＴＡ-ＡとＤＡＴＡ-Ｂの２チャンネルとしている。
【００９１】
ＤＡＴＡ信号は、２系統に分配され、本来の画像書込みに使用することとは別にレシーバ９６Ａ、９６ＢによりＬＶＤＳをＴＴＬレベルに変換し、ＳＲフリップフロップ９８Ａ、９８Ｂに入力される。
【００９２】
なお、ＴＴＬレベルでＬとなった場合、レーザー光源２０が点灯し、画像形成を行う論理にしている。
【００９３】
ＤＡＴＡ-Ａにおいて、画像データがある場合、ＳＲフリップフロップ９８ＡのＳ入力がアクティブになり、ＳＲフリップフロップ９８Ａの出力Ｑは反転する。
【００９４】
ＳＲフリップフロップ９８ＡのＲ入力には１走査毎にＰＣＯＮＴ信号が入り、出力Ｑはイニシャライズされる。ＤＡＴＡ-Ｂも同様の動作を行う。
【００９５】
ＤＡＴＡ-Ａ、ＤＡＴＡ-ＢのＳＲフリップフロップ９８Ａ、９８Ｂの出力Ｑは、ＯＲ回路９９に入力し、ＤＡＴＡ-Ａ、ＤＡＴＡ-Ｂのどちらかが１画素でも存在すれば、ＳＲフリップフロップ９７のＳ入力となり出力Ｑが反転する。この出力がＤＡＴＡ検出信号となる。ＳＲフリップフロップ９７のＲ入力にはＰＡＧＥ-ＳＹＮＣ信号を用い、１ページ毎に画像データの有無を検出する。図９は、上記回路の各部の信号タイミンミンブチャートである。
【００９６】
なお、実施の形態では、画像書き込み点灯モード中の実画像記録領域外で、断線検知信号を出力し、断線の有無を判定する構成としたが、当該断線検出を実画像記録中に実行してもよい。
【００９７】
すなわち、図３に示される如く、異常判定手段７２は、前記ビデオコントロールユニット６６に接続され、前記画像データの伝送系異常の発生時に、データ保存指示信号を送出している。このデータ保存指示信号を受けたビデオコントロールユニット６２では、送信し終えた（実際には、異常により未送信）画像データを破棄せず、一時格納部へ格納する動作を実行する。言い換えれば、送信し終えた画像データは直ちに破棄し、次の画像データの受け入れ状態となるが、この受け入れ状態となる前に、一時格納部への格納動作を介在させることになる。
【００９８】
これにより、白紙プリントがあった場合に、画像データは保存されているため、再プリエント指示等に基づいて、容易に再プリントが可能となる。
【００９９】
また、異常と判定された場合、直ちにプリントを中止せず、ユーザーがプリント品質が劣化してもプリントを継続することを望む場合は、光源の数を減らしてプリントを継続するようにしてもよい。
【図面の簡単な説明】
【０１００】
【図１】本実施の形態に係る画像形成装置の概略構成図である。
【図２】画像形成装置の光走査装置の制御系を示すブロック図である。
【図３】レーザー駆動ユニットを中心として制御系の詳細を示すブロック図である。
【図４】（Ａ）は本実施の形態に係る伝送監視ユニットの概略を示す配線図、（Ｂ）は図４（Ａ）で検出した電圧の画像データとの対象図表である。
【図５】光量調整点灯モードと画像書込み点灯モードの各領域を示すタイミングチャートである。
【図６】伝送監視ユニットによる断線監視制御フローチャートである。
【図７】（Ａ）は変形例に係る伝送監視ユニットの概略を示す配線図、（Ｂ）は図７（Ａ）で検出した電圧の画像データとの対象図表である。
【図８】図７の伝送監視ユニットの詳細回路図である。
【図９】図８の回路による信号の状態を示すタイミングチャートである。
【符号の説明】
【０１０１】
１０    画像形成装置
１２    ケーシング
１４    感光体ドラム
１６    光走査装置
１８    筐体
２０    レーザー光源（ＬＤ）
２２    回転多面鏡
２３    ミラー
２４    帯電器
２６    現像器
２８    転写器
３０    クリーナー
３２    用紙トレイ
３４    手差しトレイ
３６    用紙
３８    定着器
４０    加圧ローラ
４２    加熱ローラ
４４    排出トレイ
４６    光出力装置
４８    コリメータレンズ
５０    シリンドリカルレンズ
５２Ａ、５２Ｂ    Ｆθレンズ
５４    レーザー駆動ユニット
５６    光量制御装置
５８    データ制御装置
６０、６２    伝送ライン
６４    シーケンスコントロールユニット
６６    ビデオコントロールユニット（制御手段）
６８    ＳＯＳセンサ
７０    ホストコンピュータ
７２    データ検出部
７６    異常判定部（光源異常検知手段、異常発生源判別手段）
７８    異常表示部
８０    伝送監視ユニット（書込み異常検知手段）
８２、８４    コネクタ
８６    プルアップ抵抗
【図１】
2007060569.tif 000003
【図２】
2007060569.tif 000004
【図３】
2007060569.tif 000005
【図４】
2007060569.tif 000006
【図５】
2007060569.tif 000007
【図６】
2007060569.tif 000008
【図７】
2007060569.tif 000009
【図８】
2007060569.tif 000010
【図９】
2007060569.tif 000011